(57)【特許請求の範囲】
【請求項１】
手前側領域と奥側領域とを繋ぐ第１通路の右側において手前側に設けられ、識別体から情報を読み取る第１読取装置と、
前記第１通路の左側で前記手前側領域と前記奥側領域とを繋ぐ第２通路の左側において奥側に設けられ、識別体から情報を読み取る第２読取装置と、
前記第１通路と前記第２通路との間において手前側に設けられ、識別体から情報を読み取る第３読取装置と、
前記第１通路と前記第２通路との間において奥側に設けられ、識別体から情報を読み取る第４読取装置と、
前記第１読取装置及び前記第２読取装置の双方が正常に動作している場合に、前記第１読取装置により読み取られた情報に基づいて前記第１通路を手前から奥へ通行することを許可し、前記第２読取装置により読み取られた情報に基づいて前記第２通路を奥から手前へ通行することを許可するゲート制御装置と、
を備え、
前記ゲート制御装置は、前記第１読取装置及び前記第２読取装置の双方が正常に動作している場合に、前記第２通路を手前から奥へ通行することを許可せず、前記第１通路を奥から手前へ通行することを許可せず、
前記ゲート制御装置は、前記第１読取装置及び前記第２読取装置の少なくとも一方が故障した場合に、前記第３読取装置により読み取られた情報に基づいて前記第２通路を手前から奥へ通行することを許可し、前記第４読取装置により読み取られた情報に基づいて前記第１通路を奥から手前へ通行することを許可する入出場管理システム。
【請求項２】
前記ゲート制御装置は、前記第１読取装置及び前記第２読取装置の少なくとも一方が故障した場合に、前記第１読取装置及び前記第２読取装置の双方の読取機能を無効化する請求項１に記載の入出場管理システム。
【請求項３】
前記ゲート制御装置は、前記第１読取装置が故障し前記第２読取装置が故障していない場合には前記第１読取装置の読取機能を無効化するとともに前記第２読取装置により読み取られた情報に基づいて前記第２通路を奥から手前へ通行することを許可し、前記第２読取装置が故障し前記第１読取装置が故障していない場合には前記第２読取装置の読取機能を無効化するとともに前記第１読取装置により読み取られた情報に基づいて前記第１通路を手前から奥へ通行することを許可する請求項１に記載の入出場管理システム。
【請求項４】
前記ゲート制御装置との間で信号の送受信を行うセンター装置を備え、
前記ゲート制御装置は、前記第１読取装置、前記第２読取装置、前記第３読取装置及び前記第４読取装置のうち現在故障していないものを用いて実現可能な通行パターンを示す提示信号を前記センター装置に送信する機能を有し、
前記センター装置は、前記提示信号によって示された通行パターンのうちの１つを示す選択信号を前記ゲート制御装置に送信する機能を有し、
前記ゲート制御装置は、前記センター装置から前記選択信号を受信した場合に、前記選択信号が示す通行パターンに従って前記第１通路及び前記第２通路を通行することを許可する請求項１に記載の入出場管理システム。
【請求項５】
前記第１読取装置及び前記第２読取装置のいずれか一方が故障し他方が故障していない場合における前記提示信号は、
前記第１読取装置及び前記第２読取装置の双方の読取機能が無効化される第１通行パターンと、
前記第１読取装置が故障し前記第２読取装置が故障していない場合には前記第１読取装置の読取機能が無効化されるとともに前記第２読取装置により読み取られた情報に基づいて前記第２通路を奥から手前へ通行することが許可され、前記第２読取装置が故障し前記第１読取装置が故障していない場合には前記第２読取装置の読取機能が無効化されるとともに前記第１読取装置により読み取られた情報に基づいて前記第１通路を手前から奥へ通行することが許可される第２通行パターンと、
を示すものであり、
前記ゲート制御装置は、前記提示信号を送信してから予め設定された時間が経過するまでに前記選択信号を受信しなかった場合は、前記第１通行パターンに従って前記第１通路及び前記第２通路を通行することを許可する請求項４に記載の入出場管理システム。
【発明の詳細な説明】
【技術分野】
【０００１】
本発明は、入出場管理システムに関するものである。
【背景技術】
【０００２】
下記特許文献１には、１つの通路を入場及び出場の両方に用いることが可能な自動改札機が記載されている。この自動改札機は、入場用の読取装置が故障した場合には出場専用に用いられ、出場用の読取装置が故障した場合には入場専用に用いられる。
【先行技術文献】
【特許文献】
【０００３】
【特許文献１】特開２００４−２１２８４号公報
【発明の概要】
【発明が解決しようとする課題】
【０００４】
特許文献１に記載の自動改札機は、読取装置が故障した場合は、入場又は出場の一方にしか用いることができない。このため、読取装置が故障した場合に通行効率が低下する。
【０００５】
本発明は、上記の課題を解決するためになされた。その目的は、読取装置が故障した場合に通行効率の低下を抑制できる入出場管理システムを提供することである。
【課題を解決するための手段】
【０００６】
本発明に係る入出場管理システムは、手前側領域と奥側領域とを繋ぐ第１通路の右側において手前側に設けられ、識別体から情報を読み取る第１読取装置と、第１通路の左側で手前側領域と奥側領域とを繋ぐ第２通路の左側において奥側に設けられ、識別体から情報を読み取る第２読取装置と、第１通路と第２通路との間において手前側に設けられ、識別体から情報を読み取る第３読取装置と、第１通路と第２通路との間において奥側に設けられ、識別体から情報を読み取る第４読取装置と、第１読取装置及び第２読取装置の双方が正常に動作している場合に、第１読取装置により読み取られた情報に基づいて第１通路を手前から奥へ通行することを許可し、第２読取装置により読み取られた情報に基づいて第２通路を奥から手前へ通行することを許可するゲート制御装置と、を備え、ゲート制御装置は、第１読取装置及び第２読取装置の双方が正常に動作している場合に、第２通路を手前から奥へ通行することを許可せず、第１通路を奥から手前へ通行することを許可せず、ゲート制御装置は、第１読取装置及び第２読取装置の少なくとも一方が故障した場合に、第３読取装置により読み取られた情報に基づいて第２通路を手前から奥へ通行することを許可し、第４読取装置により読み取られた情報に基づいて第１通路を奥から手前へ通行することを許可するものである。
【発明の効果】
【０００７】
本発明に係る入出場管理システムにおいて、ゲート制御装置は、第１読取装置及び第２読取装置の少なくとも一方が故障した場合に、第３読取装置により読み取られた情報に基づいて第２通路を手前から奥へ通行することを許可し、第４読取装置により読み取られた情報に基づいて第１通路を奥から手前へ通行することを許可する。このため、本発明によれば、入出場管理システムの読取装置が故障した場合に通行効率の低下を抑制することができる。
【図面の簡単な説明】
【０００８】
【図１】本発明の実施の形態１における入出場管理システムが適用されたセキュリティゲートを示す第１の平面図である。
【図２】本発明の実施の形態１における入出場管理システムの構成を示すブロック図である。
【図３】本発明の実施の形態１における入出場管理システムが適用されたセキュリティゲートを示す第２の平面図である。
【図４】本発明の実施の形態１における入出場管理システムが適用されたセキュリティゲートを示す第３の平面図である。
【図５】本発明の実施の形態１における入出場管理システムの動作を説明するための第１の図である。
【図６】本発明の実施の形態１における入出場管理システムの動作を説明するための第２の図である。
【図７】本発明の実施の形態１における入出場管理システムの動作を説明するための第３の図である。
【図８】本発明の実施の形態１における入出場管理システムの動作を説明するための第４の図である。
【図９】本発明の実施の形態１における入出場管理システムの動作を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
実施の形態１における入出場管理システムは、２つの領域を繋ぐ通路又は出入口等に対して適用される。入出場管理システムは、例えば、屋内又は屋外に設けられたセキュリティゲート及び自動改札機等に適用される。以下、一例として、手前側領域と奥側領域とを繋ぐセキュリティゲートに適用された入出場管理システムについて説明する。奥側領域は、例えば、監視対象となる領域である。手前側領域は、例えば、監視対象外の領域である。以下の説明において、手前側領域から奥側領域への移動を「入場」と呼び、奥側領域から手前側領域への移動を「出場」と呼ぶ。
【００１１】
図１は、実施の形態１における入出場管理システムが適用されたセキュリティゲートを示す第１の平面図である。図１における下側が手前であり、図１における上側が奥である。
【００１２】
図１に示すように、セキュリティゲートは、第１筐体１、第２筐体２及び第３筐体３を備えている。第１筐体１、第２筐体２及び第３筐体３は、手前側領域と奥側領域とにまたがるように配置されている。第１筐体１、第２筐体２及び第３筐体３は、左右方向に沿って平行に並んでいる。第１筐体１、第２筐体２及び第３筐体３は、例えば、等間隔に並んでいる。第２筐体２は、手前側から見て、第１筐体１よりも左に配置されている。第３筐体３は、手前側から見て、第２筐体２よりも左に配置されている。つまり、第２筐体２は、第１筐体１と第３筐体３との間に位置している。
【００１３】
第１筐体１と第２筐体２との間には、手前側領域と奥側領域とを繋ぐ第１通路４ａが形成されている。第２筐体２と第３筐体３との間には、手前側領域と奥側領域とを繋ぐ第２通路４ｂが形成されている。第１通路４ａは、手前側から見て、第２通路４ｂの右側に隣接している。第２通路４ｂは、手前側から見て、第１通路４ａの左側に隣接している。第２通路４ｂは、第２筐体２によって第１通路４ａと区画されている。つまり、第１通路４ａ及び第２通路４ｂは、手前側領域又は奥側領域を通らずに直接行き来することができないように形成されている。
【００１４】
図１に示すように、セキュリティゲートは、第１扉５ａ及び第２扉５ｂを備えている。第１扉５ａは、第１筐体１と第２筐体２との間に設けられている。つまり、第１扉５ａは、第１通路４ａに設けられている。第１扉５ａは、第１通路４ａを通行することを阻止可能な扉である。第２扉５ｂは、第２筐体２と第３筐体３との間に設けられている。つまり、第２扉５ｂは、第２通路４ｂに設けられている。第２扉５ｂは、第２通路４ｂを通行することを阻止可能な扉である。第１扉５ａ及び第２扉５ｂは、手前及び奥の双方に開く構造に形成されている。第１扉５ａ及び第２扉５ｂは、例えば、両開きの扉である。なお、第１扉５ａ及び第２扉５ｂは、片開きの扉であってもよい。
【００１５】
図１に示すように、入出場管理システムは、第１読取装置６、第２読取装置７、第３読取装置８及び第４読取装置９を備えている。第１読取装置６は、第１筐体１の上面の手前側端部に設けられている。つまり、第１読取装置６は、手前側から見て、第１通路４ａの右側において、第１通路４ａの中心よりも手前側に設けられている。第２読取装置７は、第３筐体３の上面の奥側端部に設けられている。つまり、第２読取装置７は、手前側から見て、第２通路４ｂの左側において、第２通路４ｂの中心よりも奥側に設けられている。第３読取装置８は、第２筐体２の上面の手前側端部に設けられている。つまり、第２読取装置７は、第１通路４ａと第２通路４ｂとの間において、第１通路４ａ及び第２通路４ｂの中心よりも手前側に設けられている。第３読取装置８は、例えば、第１通路４ａを挟んで第１読取装置６と左右に並んでいる。第４読取装置９は、第２筐体２の上面の奥側端部に設けられている。つまり、第４読取装置９は、第１通路４ａと第２通路４ｂとの間において、第１通路４ａ及び第２通路４ｂの中心よりも奥側に設けられている。第４読取装置９は、例えば、第２通路４ｂを挟んで第２読取装置７と左右に並んでいる。
【００１６】
セキュリティゲートを通行する利用者は、識別子が記録された図示しない識別体を携帯している。識別子は、例えば、当該利用者又は当該識別体を特定するための情報である。識別体は、例えば、磁気カード、ＩＣカード、ＩＣタグ及び携帯電話等である。
【００１７】
第１読取装置６、第２読取装置７、第３読取装置８及び第４読取装置９は、識別体から識別子等の情報を読み取る読取機能を有する。当該読取機能は、装置ごとに個別に有効化及び無効化することが可能である。第１読取装置６、第２読取装置７、第３読取装置８及び第４読取装置９は、例えば、カードリーダ及びタグリーダ等である。
【００１８】
入出場管理システムは、入出場管理を行う。入出場管理は、第１読取装置６、第２読取装置７、第３読取装置８又は第４読取装置９により利用者の携帯する識別体から読み取られた情報に基づいて、利用者がセキュリティゲートを通行することを許可又は阻止することである。
【００１９】
図１は、通常の入出場管理が行われている状態を模式的に示している。通常の入出場管理では、例えば、第１通路４ａが入場専用に用いられ、第２通路４ｂが出場専用に用いられる。つまり、通常の入出場管理において、セキュリティゲートは、例えば、利用者が右側通行をする通行パターンで運用される。通常の入出場管理では、例えば、第１読取装置６及び第２読取装置７の読取機能が有効化されており、第３読取装置８及び第４読取装置９の読取機能が無効化されている。読取機能が無効化された状態は、図中に斜線で示されている。
【００２０】
図２は、実施の形態１における入出場管理システムの構成を示すブロック図である。以下、図２を参照して、入出場管理システムの構成を説明する。
【００２１】
図２に示すように、入出場管理システムは、ゲート制御装置１０及びセンター装置１１を備えている。ゲート制御装置１０は、第１読取装置６、第２読取装置７、第３読取装置８及び第４読取装置９と電気的に接続されている。センター装置１１は、ゲート制御装置１０に電気的に接続されている。ゲート制御装置１０は、例えば、第１読取装置６、第２読取装置７、第３読取装置８及び第４読取装置９の付近に設けられている。ゲート制御装置１０は、例えば、第１筐体１、第２筐体２又は第３筐体３の内部に設けられている。センター装置１１は、例えば、セキュリティゲートが設置されている建物の管理室等に設けられている。なお、センター装置１１は、管理室等に設けられた報知手段及び入力手段等に対しても、電気的に接続されていてもよい。報知手段は、例えば、モニタ及びスピーカー等である。入力手段は、例えば、キーボード、押しボタン又はタッチパネル等である。
【００２２】
ゲート制御装置１０は、識別子データベースを予め記憶している。識別子データベースには、例えば、セキュリティゲートを通行することを許可された利用者を特定する識別子が含まれている。ゲート制御装置１０は、第１読取装置６、第２読取装置７、第３読取装置８又は第４読取装置９により識別体から読み取られた識別子を識別子データベースと照合する。ゲート制御装置１０は、照合結果に基づいて、第１扉５ａ又は第２扉５ｂの開閉を制御する。つまり、ゲート制御装置１０は、照合結果に基づいて、当該識別体を携帯する利用者がセキュリティゲートを通行することを許可又は阻止する。
【００２３】
ゲート制御装置１０は、通常の入出場管理において、第１読取装置６により読み取られた識別子が識別子データベースに含まれていた場合は、第２扉５ｂを開かず、第１扉５ａを奥側に開く。ゲート制御装置１０は、通常の入出場管理において、当該識別子が識別子データベースに含まれていなかった場合は、第１扉５ａ及び第２扉５ｂのいずれも開かない。つまり、ゲート制御装置１０は、第１読取装置６及び第２読取装置７の双方が正常に動作している場合に、第１読取装置６により読み取られた情報に基づいて、第１通路４ａを手前から奥へ通行することを許可又は阻止する。
【００２４】
ゲート制御装置１０は、通常の入出場管理において、第２読取装置７により読み取られた識別子が識別子データベースに含まれていた場合は、第１扉５ａを開かず、第２扉５ｂを手前側に開く。ゲート制御装置１０は、通常の入出場管理において、当該識別子が識別子データベースに含まれていなかった場合は、第１扉５ａ及び第２扉５ｂのいずれも開かない。つまり、ゲート制御装置１０は、第１読取装置６及び第２読取装置７の双方が正常に動作している場合に、第２読取装置７により読み取られた情報に基づいて、第２通路４ｂを奥から手前へ通行することを許可又は阻止する。
【００２５】
ゲート制御装置１０は、第１読取装置６、第２読取装置７、第３読取装置８及び第４読取装置９が正常であるか故障しているかを検出する。ゲート制御装置１０は、第１読取装置６、第２読取装置７、第３読取装置８及び第４読取装置９の読取機能を有効化及び無効化する機能を有する。ゲート制御装置１０は、第１読取装置６、第２読取装置７、第３読取装置８及び第４読取装置９のうち故障しているものの読取機能を無効化する。
【００２６】
ゲート制御装置１０は、例えば、「読取装置通信異常」の発生に基づいて、第１読取装置６、第２読取装置７、第３読取装置８及び第４読取装置９の故障を検出する。「読取装置通信異常」は、第１読取装置６、第２読取装置７、第３読取装置８又は第４読取装置９とゲート制御装置１０との間で通信が確立しないことである。通常の入出場管理の実施中に第１読取装置６が故障した場合、ゲート制御装置１０は、例えば、第１読取装置６との間で通信が確立しないことに基づいて故障を検出する。ゲート制御装置１０は、第１読取装置６との間で通信が確立しなくなった場合、第１読取装置６の読取機能を無効化する。また、第２読取装置７が故障した場合、ゲート制御装置１０は、例えば、第２読取装置７との間で通信が確立しないことに基づいて故障を検出する。ゲート制御装置１０は、第２読取装置７との間で通信が確立しなくなった場合、第２読取装置７の読取機能を無効化する。
【００２７】
センター装置１１は、ゲート制御装置１０との間で信号の送受信を行う。ゲート制御装置１０は、第１読取装置６、第２読取装置７、第３読取装置８及び第４読取装置９のうち現在故障していないものを用いて実現可能な通行パターンを示す提示信号をセンター装置１１に送信する機能を有する。センター装置１１は、提示信号によって示された通行パターンのうちの１つを示す選択信号をゲート制御装置１０に送信する機能を有する。
【００２８】
選択信号が示す通行パターンは、センター装置１１によって自動的に選択されたものでもよく、管理者等によって選択されたものでもよい。例えば、センター装置１１は、予め設定された条件に基づいて、提示信号が示す通行パターンのうちの１つを選択する。また、例えば、センター装置１１は、提示信号が示す通行パターンを報知手段で報知し、報知内容を確認した管理者等が入力手段を用いて入力した情報に基づいて、提示信号が示す通行パターンのうちの１つを選択する。
【００２９】
ゲート制御装置１０は、センター装置１１から選択信号を受信した場合、選択信号が示す通行パターンに基づいて、第１扉５ａ又は第２扉５ｂの開閉を制御する。つまり、ゲート制御装置１０は、センター装置１１から選択信号を受信した場合、選択信号が示す通行パターンに従って、第１通路４ａ及び第２通路４ｂを利用者が通行することを許可又は阻止する。
【００３０】
ゲート制御装置１０は、「設定済み通行パターン」を予め記憶している。ゲート制御装置１０は、提示信号を送信してから予め設定された時間が経過するまでにセンター装置１１から選択信号を受信しなかった場合、「設定済み通行パターン」に基づいて、第１扉５ａ又は第２扉５ｂの開閉を制御する。つまり、ゲート制御装置１０は、センター装置１１から選択信号を受信しなかった場合、「設定済み通行パターン」に従って、第１通路４ａ及び第２通路４ｂを利用者が通行することを許可又は阻止する。「設定済み通行パターン」は、第１読取装置６又は第２読取装置７が故障した際にセキュリティゲートを運用するための通行パターンとして、予め設定されている。「設定済み通行パターン」は、例えば、管理室等に設けられた入力手段を用いて、管理者等がセンター装置１１に情報を入力することで予め設定されたものである。
【００３１】
図３は、実施の形態１における入出場管理システムが適用されたセキュリティゲートを示す第２の平面図である。図３は、通常の通行パターンとは異なる「第１通行パターン」でセキュリティゲートが運用されている状態を示している。「第１通行パターン」は、図３に示すように、第１読取装置６及び第２読取装置７の読取機能が無効化され、且つ第３読取装置８及び第４読取装置９の読取機能が有効化されることで実現される。
【００３２】
図３に示す状態において、ゲート制御装置１０は、第３読取装置８により読み取られた識別子が識別子データベースに含まれていた場合は、第１扉５ａを開かず、第２扉５ｂを奥側に開く。図３に示す状態において、ゲート制御装置１０は、当該識別子が識別子データベースに含まれていなかった場合は、第１扉５ａ及び第２扉５ｂのいずれも開かない。つまり、「第１通行パターン」でセキュリティゲートが運用されている場合、ゲート制御装置１０は、第３読取装置８により読み取られた情報に基づいて、第２通路４ｂを手前から奥へ通行することを許可又は阻止する。
【００３３】
図３に示す状態において、ゲート制御装置１０は、第４読取装置９により読み取られた識別子が識別子データベースに含まれていた場合は、第２扉５ｂを開かず、第１扉５ａを手前側に開く。図３に示す状態において、ゲート制御装置１０は、当該識別子が識別子データベースに含まれていなかった場合は、第１扉５ａ及び第２扉５ｂのいずれも開かない。つまり、「第１通行パターン」でセキュリティゲートが運用されている場合、ゲート制御装置１０は、第４読取装置９により読み取られた情報に基づいて、第１通路４ａを奥から手前へ通行することを許可又は阻止する。
【００３４】
このように、「第１通行パターン」でセキュリティゲートが運用されている場合は、第１通路４ａが出場専用に用いられ、第２通路４ｂが入場専用に用いられる。つまり、「第１通行パターン」は、利用者が左側通行をする通行パターンである。
【００３５】
図４は、実施の形態１における入出場管理システムが適用されたセキュリティゲートを示す第３の平面図である。図４は、通常の通行パターン及び「第１通行パターン」とは異なる「第２通行パターン」でセキュリティゲートが運用されている状態の一例を示している。「第２通行パターン」は、第１読取装置６及び第２読取装置７のいずれか一方の読取機能が無効化され、且つ第３読取装置８及び第４読取装置９の読取機能が有効化されることで実現される。図４は、一例として、第１読取装置６の読取機能が無効化され、第２読取装置７、第３読取装置８及び第４読取装置９の読取機能が有効化されている場合を示している。
【００３６】
図４に示す状態において、ゲート制御装置１０は、第３読取装置８により読み取られた識別子が識別子データベースに含まれていた場合は、第１扉５ａを開かず、第２扉５ｂを奥側に開く。図４に示す状態において、ゲート制御装置１０は、当該識別子が識別子データベースに含まれていなかった場合は、第１扉５ａ及び第２扉５ｂのいずれも開かない。つまり、図４に示す状態において、ゲート制御装置１０は、第３読取装置８により読み取られた情報に基づいて、第２通路４ｂを手前から奥へ通行することを許可又は阻止する。
【００３７】
図４に示す状態において、ゲート制御装置１０は、第４読取装置９により読み取られた識別子が識別子データベースに含まれていた場合は、第２扉５ｂを開かず、第１扉５ａを手前側に開く。また、ゲート制御装置１０は、第２読取装置７により読み取られた識別子が識別子データベースに含まれていた場合は、第１扉５ａを開かず、第２扉５ｂを手前側に開く。図４に示す状態において、ゲート制御装置１０は、第４読取装置９により読み取られた識別子が識別子データベースに含まれていなかった場合は、第１扉５ａ及び第２扉５ｂのいずれも開かない。また、図４に示す状態において、ゲート制御装置１０は、第２読取装置７により読み取られた識別子が識別子データベースに含まれていなかった場合は、第１扉５ａ及び第２扉５ｂのいずれも開かない。つまり、図４に示す状態において、ゲート制御装置１０は、第４読取装置９により読み取られた情報に基づいて第１通路４ａを奥から手前へ通行することを許可又は阻止し、第２読取装置７により読み取られた情報に基づいて第２通路４ｂを奥から手前へ通行することを許可又は阻止する。
【００３８】
このように、「第２通行パターン」でセキュリティゲートが運用されている場合のうち、図４に示す例では、第１通路４ａが出場専用に用いられ、第２通路４ｂが入場及び出場の双方に用いられる。また、図示しないが、第２読取装置７の読取機能が無効化され、第１読取装置６、第３読取装置８及び第４読取装置９の読取機能が有効化されている場合も、「第２通行パターン」でセキュリティゲートが運用されている場合に含まれる。この場合は、第２通路４ｂが入場専用に用いられ、第１通路４ａが入場及び出場の双方に用いられる。つまり、「第２通行パターン」は、入場する利用者及び出場する利用者の一方は左側通行をするが、他方は左右どちらの通路でも通行可能な通行パターンである。
【００３９】
図５から図８は、実施の形態１における入出場管理システムの動作を説明するための図である。以下、図５から図８を参照して、通行パターンの変更について説明する。
【００４０】
図５は、通常の入出場管理の実施中に第１読取装置６が故障した状態を示している。第１読取装置６が故障すると、ゲート制御装置１０は、図６に示すように、第１読取装置６の読取機能を無効化する。図６に示す状態から通行パターンを「第１通行パターン」に変更する場合、ゲート制御装置１０は、図７に示すように、第２読取装置７の読取機能を無効化し、第３読取装置８及び第４読取装置９の読取機能を有効化する。図７に示す状態から通行パターンを「第２通行パターン」に変更する場合、ゲート制御装置１０は、図８に示すように、第２読取装置７の読取機能を有効化する。
【００４１】
なお、図６に示す状態から通行パターンを「第２通行パターン」に変更することも可能である。この場合、ゲート制御装置１０は、第２読取装置７の読取機能を無効化せずに第３読取装置８及び第４読取装置９の読取機能を有効化する。
【００４２】
図９は、実施の形態１における入出場管理システムの動作を示すフローチャートである。以下、一例として、提示信号が「第１通行パターン」及び「第２通行パターン」を示すものであり、「設定済み通行パターン」として「第１通行パターン」が設定されている場合の通行パターン変更動作を説明する。
【００４３】
通常の入出場管理の実施中に、ゲート制御装置１０は、第１読取装置６が正常であるか否かを判定する（ステップＳ１０１）。ステップＳ１０１で第１読取装置６が故障していると判定された場合、ゲート制御装置１０は、第１読取装置６の読取機能を無効化する（ステップＳ１０２）。ステップＳ１０１で第１読取装置６が正常であると判定された場合又はステップＳ１０２の処理の後は、入出場管理システムは、ステップＳ１０３の処理を行う。
【００４４】
ステップＳ１０３において、ゲート制御装置１０は、第２読取装置７が正常であるか否かを判定する。ステップＳ１０３で第２読取装置７が故障していると判定された場合、ゲート制御装置１０は、第２読取装置７の読取機能を無効化する（ステップＳ１０４）。ステップＳ１０３で第２読取装置７が正常であると判定された場合又はステップＳ１０４の処理の後は、入出場管理システムは、ステップＳ１０５の処理を行う。
【００４５】
ステップＳ１０５において、ゲート制御装置１０は、第１読取装置６又は第２読取装置７が故障中であるか否かを判定する。ステップＳ１０５で第１読取装置６及び第２読取装置７のいずれも故障中でないと判定された場合、入出場管理システムは、通行パターン変更動作を終了する。この場合、通常の通行パターンでセキュリティゲートの運用が継続される。
【００４６】
ステップＳ１０５で第１読取装置６又は第２読取装置７が故障中であると判定された場合、ゲート制御装置１０は、「第１通行パターン」及び「第２通行パターン」を示す提示信号をセンター装置１１に送信する（ステップＳ１０６）。その後、ゲート制御装置１０は、センター装置１１から選択信号を受信したか否かを判定する（ステップＳ１０７）。ステップＳ１０７で選択信号を受信したと判定された場合、「第１通行パターン」及び「第２通行パターン」のうち、選択信号が示す通行パターンでセキュリティゲートの運用が開始される（ステップＳ１０８）。
【００４７】
ステップＳ１０７で選択信号を受信しなかったと判定された場合、「設定済み通行パターン」として設定された「第１通行パターン」でセキュリティゲートの運用が開始される（ステップＳ１０９）。その後、ゲート制御装置１０は、提示信号の送信から予め設定された一定時間が経過したか否かを判定する（ステップＳ１１０）。ステップＳ１１０で一定時間が経過していないと判定された場合、入出場管理システムは、ステップＳ１０７の処理を行う。ステップＳ１１０で一定時間が経過したと判定された場合、入出場管理システムは、通行パターン変更動作を終了する。この場合、「第１通行パターン」でセキュリティゲートの運用が継続される。
【００４８】
実施の形態１において、第１読取装置６は、手前側領域と奥側領域とを繋ぐ第１通路４ａの右側において、手前側に設けられている。第２読取装置７は、第１通路４ａの左側で手前側領域と奥側領域とを繋ぐ第２通路４ｂの左側において、奥側に設けられている。第３読取装置８は、第１通路４ａと第２通路４ｂとの間において、手前側に設けられている。第４読取装置９は、第１通路４ａと第２通路４ｂとの間において、奥側に設けられている。ゲート制御装置１０は、第１読取装置６及び第２読取装置７の双方が正常に動作している場合に、第１読取装置６により読み取られた情報に基づいて第１通路４ａを手前から奥へ通行することを許可し、第２読取装置７により読み取られた情報に基づいて第２通路４ｂを奥から手前へ通行することを許可する。そして、ゲート制御装置１０は、第１読取装置６及び第２読取装置７の少なくとも一方が故障した場合に、第３読取装置８により読み取られた情報に基づいて第２通路４ｂを手前から奥へ通行することを許可し、第４読取装置９により読み取られた情報に基づいて第１通路４ａを奥から手前へ通行することを許可する。このため、第１読取装置６及び第２読取装置７の少なくとも一方が故障した場合であっても、利用者の入場及び出場が不可能になることはない。その結果、本発明によれば、入出場管理システムの読取装置が故障した場合に通行効率の低下を抑制することができる。
【００４９】
実施の形態１において、ゲート制御装置１０は、例えば、第１読取装置６及び第２読取装置７の少なくとも一方が故障した場合に、第１読取装置６及び第２読取装置７の双方の読取機能を無効化する。この場合、「第１通行パターン」でセキュリティゲートが運用される。「第１通行パターン」は、入場用の通路と出場用の通路の左右方向における位置関係が通常とは逆になったものであるため、通常と同等の通行効率を実現する。その結果、入出場管理システムの読取装置が故障した場合に通行効率の低下を抑制することができる。
【００５０】
実施の形態１において、ゲート制御装置１０は、例えば、第１読取装置６が故障し第２読取装置７が故障していない場合には、第１読取装置６の読取機能を無効化するとともに第２読取装置７により読み取られた情報に基づいて第２通路４ｂを奥から手前へ通行することを許可する。また、ゲート制御装置１０は、例えば、第２読取装置７が故障し第１読取装置６が故障していない場合には、第２読取装置７の読取機能を無効化するとともに第１読取装置６により読み取られた情報に基づいて第１通路４ａを手前から奥へ通行することを許可する。この場合、「第２通行パターン」でセキュリティゲートが運用される。「第２通行パターン」は、通常の通行パターンと比較して、入場用の通路又は出場用の通路のいずれかが２本に増えたものであるため、少なくとも通常と同等の通行効率を実現する。このため、入出場管理システムの読取装置が故障した場合に通行効率の低下を抑制することができる。さらに、例えば、出場する利用者が多い時間帯に、出場用の通路が２本になるように「第２通行パターン」でセキュリティゲートが運用されれば、通常よりも通行効率を向上させることもできる。
【００５１】
実施の形態１において、ゲート制御装置１０は、第１読取装置６、第２読取装置７、第３読取装置８及び第４読取装置９のうち現在故障していないものを用いて実現可能な通行パターンを示す提示信号をセンター装置に送信する機能を有している。センター装置１１は、提示信号によって示された通行パターンのうちの１つを示す選択信号をゲート制御装置１０に送信する機能を有している。そして、ゲート制御装置１０は、センター装置１１から選択信号を受信した場合に、選択信号が示す通行パターンに従って第１通路４ａ及び第２通路４ｂを通行することを許可する。つまり、入出場管理システムの読取装置が故障した状態でセキュリティゲートの運用が継続される場合に、実現可能な複数の通行パターンが提示される。その結果、状況に応じて最適な通行パターンを選択し、利用者の利便性の低下を抑制することができる。
【００５２】
実施の形態１において、第１読取装置６及び第２読取装置７のいずれか一方のみが故障し他方が故障していない場合における提示信号は、例えば、「第１通行パターン」及び「第２通行パターン」を示すものである。ゲート制御装置１０は、提示信号を送信してから予め設定された時間が経過するまでに選択信号を受信しなかった場合は、「第１通行パターン」に従って第１通路４ａ及び第２通路４ｂを通行することを許可する。つまり、入出場管理システムの読取装置が故障した際に、セキュリティゲートを「第１通行パターン」で運用するのか「第２通行パターン」で運用するのかが選択されなかった場合、自動的に「第１通行パターン」が選択される。その結果、少なくとも通常と同等の通行効率が実現されるため、通行効率の低下を抑制することができる。
【００５３】
本発明において、ゲート制御装置１０は、提示信号ではなく、第１読取装置６、第２読取装置７、第３読取装置８及び第４読取装置９のうち故障しているものを示す故障信号をセンター装置１１に送信してもよい。この場合であっても、センター装置１１が故障信号に基づいて実現可能な通行パターンを生成し、生成した通行パターンのうちの１つを示す選択信号をゲート制御装置１０に送信すれば、実施の形態１と同様の効果が得られる。
【００５４】
本発明において、入出場管理システムは、通常時に第３読取装置８及び第４読取装置９の読取機能が有効化されており、第１読取装置６及び第２読取装置７の読取機能が無効化されているものであってもよい。この場合であっても、第３読取装置８及び第４読取装置９の少なくとも一方が故障した際に通行パターンを変更することで、通行効率の低下を抑制できる。
【００５５】
本発明において、セキュリティゲートは、第１読取装置６が第１筐体１の上面の奥側端部に設けられ、第２読取装置７が第３筐体３の上面の手前側端部に設けられたものであってもよい。この場合であっても、例えば、通常時に左側通行の通行パターンで運用し、第１読取装置６及び第２読取装置７の少なくとも一方が故障した際に通行パターンを変更することで、通行効率の低下を抑制できる。
【００５６】
本発明において、セキュリティゲートは、第１筐体１、第２筐体２及び第３筐体３を備えていなくともよい。例えば、第１読取装置６、第２読取装置７、第３読取装置８及び第４読取装置９は、それぞれ独立した装置として第１通路４ａ及び第２通路４ｂの周辺に設置されてもよい。この場合であっても、第１通路４ａ及び第２通路４ｂが直接行き来することができないように区画されていれば、実施の形態１と同様の効果が得られる。
【００５７】
本発明において、セキュリティゲートは、必ずしも第１扉５ａ及び第２扉５ｂを備えている必要はない。セキュリティゲートは、扉でなくとも、第１通路４ａ及び第２通路４ｂの通行を許可及び阻止することが可能な通行規制手段を備えていればよい。
【符号の説明】
【００５８】
１  第１筐体
２  第２筐体
３  第３筐体
４ａ  第１通路
４ｂ  第２通路
５ａ  第１扉
５ｂ  第２扉
６  第１読取装置
７  第２読取装置
８  第３読取装置
９  第４読取装置
１０  ゲート制御装置
１１  センター装置
【図１】
0006394425.tif 000002
【図２】
0006394425.tif 000003
【図３】
0006394425.tif 000004
【図４】
0006394425.tif 000005
【図５】
0006394425.tif 000006
【図６】
0006394425.tif 000007
【図７】
0006394425.tif 000008
【図８】
0006394425.tif 000009
【図９】
0006394425.tif 000010